(57)【特許請求の範囲】
【請求項１】
第一の導体にカーボンを配合して黒色に着色する第一の絶縁体を被覆してなる第一の電線と、
カーボンを配合して黒色に着色してなる最外絶縁層と、該最外絶縁層の下側にカーボンを含有しないで黒色以外の色に着色してなる絶縁層とによって複数層に形成してなる第二の絶縁体を第二の導体に被覆してなる第二の電線と、
を撚り合わせて構成したことを特徴とする低圧引き込み電線。
【請求項２】
前記第二の電線の第二の絶縁体の外周面には，
該第二の電線の長手方向に突起または凹部を設け、
前記第一の電線と前記第二の電線とを容易に識別することができるようにしたことを特徴とする請求項１に記載の低圧引き込み電線。
【請求項３】
第一の導体にカーボンを配合して黒色に着色する第一の絶縁体を被覆してなる第一の電線と、
カーボンを配合して黒色に着色してなる最外絶縁層と、該最外絶縁層の下側にカーボンを含有しないで黒色以外の色に着色してなる絶縁層とによって複数層に形成してなる第二の絶縁体を第二の導体に被覆してなる第二の電線と、
カーボンを配合して黒色に着色してなる最外絶縁層と、該最外絶縁層の下側にカーボンを含有しないで黒色以外の色であって、前記第二の電線の絶縁層と異なる色に彩色を施してなる絶縁層とによって複数層に形成してなる第三の絶縁体を第三の導体に被覆してなる第三の電線と、
を撚り合わせて構成したことを特徴とする低圧引き込み電線。
【請求項４】
前記第二の電線の第二の絶縁体の外周面には、該第二の電線の長手方向にリブ状の突起を一条、または該第二の電線の長手方向に凹部を一条形成してなり、
前記第三の電線の第三の絶縁体の外周面には、該第三の電線の長手方向にリブ状の突起を前記第三の導体を中心に左右に対象な位置に、または該第三の電線の長手方向に凹部を前記第三の導体を中心に左右に対象な位置に形成してなり、
前記第一の電線と前記第二の電線と前記第三の電線とを容易に識別することができるようにしたことを特徴とする請求項３に記載の低圧引き込み電線。
【請求項５】
前記第二の電線の第二の絶縁体の外周面には、該第二の電線の長手方向にリブ状の突起を一条、または該第二の電線の長手方向に凹部を一条形成してなり、
前記第三の電線の第三の絶縁体の外周面には、該第三の電線の長手方向にリブ状の突起を形成し、前記突起の形成位置と前記第三の導体を中心に左右に対象な位置に該第三の電線の長手方向に凹部を形成してなり、
前記第一の電線と前記第二の電線とを容易に識別することができるようにしたことを特徴とする請求項３に記載の低圧引き込み電線。
【発明の詳細な説明】
【０００１】
【発明の属する技術分野】
本発明は、低圧引き込み線に係り、特に施工性がよく、識別が容易にできる低圧引き込み電線に関するものである。
【０００２】
【従来の技術】
複数の電線を撚り合わせてなる低圧引き込み電線は、屋外の電柱から各家の軒先へ電線の引き込みをするもので、屋外で使用されるものである。
この低圧引き込み電線としては、従来、図４に示すようなＤＶＲ電線が主に用いられていた。このＤＶＲ電線５０は、三心撚り線の場合、電線５１、電線５２及び電線５３の三心を撚り合わせて構成されている。このＤＶＲ電線５０は、ＤＶＲ電線５０を構成する三心の電線それぞれを識別できるように、電線５１には、導体５４に絶縁体５５を被覆して構成され、電線５２には、導体５６に絶縁体５７を被覆して構成され、電線５３には導体５８に絶縁体５９を被覆して構成されている。そして、この電線５１の絶縁体５５、電線５２の絶縁体５７、電線５３の絶縁体５９はそれぞれ識別できるように、たとえば絶縁体５５は黒色、絶縁体５７は青色、絶縁体５９は緑色というように異なった彩色の樹脂で構成されている。
【０００３】
【発明が解決しようとする課題】
このような青色の絶縁体５７及び緑色の絶縁体５９は樹脂にカーボンを含有していないため、樹脂にカーボンを含有している黒色の絶縁体５５に比べると太陽光に含まれる紫外線の遮断効果が少なく、酸化劣化しやすい。このため、電線５２，５３の絶縁体５７，５９は屋外で太陽光にさらされると劣化による亀裂が生じやすくなっていた。電線の亀裂の発生は、電線の絶縁特性を低下させ、亀裂部に汚れが付着し、雨水の滞留を生じると、導電部が形成されてしまい、絶縁耐力の低下を招来するという問題がある。
【０００４】
このようなＤＶＲ電線の耐候性を向上させるものとして、図５に示すようなＶＶＲケーブル６０がある。
【０００５】
このＶＶＲケーブル６０は、図４に図示のＤＶＲ電線５０の周囲に介在物６１を介在させて円形に成形し、押巻きテープ６２を巻きつけ、その上にシース６３を被覆して形成されているものである。このＶＶＲケーブル６０は、ＤＶＲ電線５０を構成する電線５１，５２，５３を識別のために着色された絶縁体５５，５７，５９をシース６３で被覆しているため、図４に図示のＤＶＲ電線５０よりも紫外線による影響は少なく、絶縁特性の劣化を防止する効果は向上されている。
しかしながら、このＶＶＲケーブル６０を屋外に配線するにあたっては、端末処理の際に、シース６３を剥離し、押巻きテープ６２及び介在物６１を取り除き、さらにＶＶＲケーブル６０を構成する各電線５１，５２，５３の絶縁体５５，５７，５９を剥離する作業をしなければならず、施工性が悪くなるという別の問題がある。
【０００６】
本発明の目的は、容易に識別することができ、耐候性、施工性に優れている低圧引き込み電線を提供することにある。
【０００７】
上記目的を達成するために、請求項１に記載の低圧引き込み電線は、第一の導体にカーボンを配合して黒色に着色する第一の絶縁体を被覆してなる第一の電線と、
カーボンを配合して黒色に着色してなる最外絶縁層と、該最外絶縁層の下側にカーボンを含有しないで黒色以外の色に着色してなる絶縁層とによって複数層に形成してなる第二の絶縁体を第二の導体に被覆してなる第二の電線と、
を撚り合わせて構成したことを特徴としている。
このように請求項１に記載の発明によると、容易に識別することができ、耐候性、施工性に優れている低圧引き込み電線を提供することができる。
【０００８】
上記目的を達成するために、請求項２に記載の低圧引き込み電線は、請求項１に記載の低圧引き込み電線において、前記第二の電線の第二の絶縁体の外周面に，該第二の電線の長手方向に突起または凹部を設け、前記第一の電線と前記第二の電線とを容易に識別することができるようにしたことを特徴としている。
このように請求項２に記載の発明によると、容易に識別することができ、耐候性、施工性に優れている低圧引き込み電線を提供することができる。
【００１０】
上記目的を達成するために、請求項３に記載の低圧引き込み電線は、
第一の導体にカーボンを配合して黒色に着色する第一の絶縁体を被覆してなる第一の電線と、
カーボンを配合して黒色に着色してなる最外絶縁層と、該最外絶縁層の下側にカーボンを含有しないで黒色以外の色に着色してなる絶縁層とによって複数層に形成してなる第二の絶縁体を第二の導体に被覆してなる第二の電線と、
カーボンを配合して黒色に着色してなる最外絶縁層と、該最外絶縁層の下側にカーボンを含有しないで黒色以外の色であって、前記第二の電線の絶縁層と異なる色に彩色を施してなる絶縁層とによって複数層に形成してなる第三の絶縁体を第三の導体に被覆してなる第三の電線と、
を撚り合わせて構成したことを特徴としている。
このように請求項３に記載の発明によると、容易に識別することができ、耐候性、施工性に優れている低圧引き込み電線を提供することができる。
【００１１】
上記目的を達成するために、請求項４に記載の低圧引き込み電線は、請求項３に記載の低圧引き込み電線において、前記第二の電線の第二の絶縁体の外周面には、該第二の電線の長手方向にリブ状の突起を一条、または該第二の電線の長手方向に凹部を一条形成してなり、
前記第三の電線の第三の絶縁体の外周面には、該第三の電線の長手方向にリブ状の突起を前記第三の導体を中心に左右に対象な位置に、または該第三の電線の長手方向に凹部を前記第三の導体を中心に左右に対象な位置に形成してなり、
前記第一の電線と前記第二の電線と前記第三の電線とを容易に識別することができるようにしたことを特徴としている。
このように請求項４に記載の発明によると、容易に識別することができ、耐候性、施工性に優れている低圧引き込み電線を提供することができる。
【００１２】
上記目的を達成するために、請求項５に記載の低圧引き込み電線は、請求項３に記載の低圧引き込み電線において、前記第二の電線の第二の絶縁体の外周面には、該第二の電線の長手方向にリブ状の突起を一条、または該第二の電線の長手方向に凹部を一条形成してなり、
前記第三の電線の第三の絶縁体の外周面には、該第三の電線の長手方向にリブ状の突起を形成し、前記突起の形成位置と前記第三の導体を中心に左右に対象な位置に該第三の電線の長手方向に凹部を形成してなり、
前記第一の電線と前記第二の電線とを容易に識別することができるようにしたことを特徴としている。
このように請求項６に記載の発明によると、容易に識別することができ、耐候性、施工性に優れている低圧引き込み電線を提供することができる。
【００１３】
【発明の実施の形態】
以下、本発明に係る低圧引き込み電線の実施の形態について説明する。
図１には、本発明に係る低圧引き込み電線の一実施の形態を示す断面図が示されている。
【００１４】
図において、１はＤＶ電線等の低圧引き込み電線で、同じ外径を有する電線２、電線３を撚り合わせて構成してある。この低圧引き込み電線１は、二本の電線を撚り合わせたものである。
【００１５】
第一の電線２は、第一の導体５に第一の絶縁体６を被覆して構成してある。この絶縁体６は、カーボンを含有して黒色に着色された状態となっている。このように電線２の絶縁体６は、カーボンを含有しているため、優れた紫外線遮断効果を有している。
【００１６】
第二の電線３は、第二の導体７の上に、第二の絶縁体８が被覆されており、この第二の絶縁体８は、黒色以外の色に着色されている絶縁層９と、最外層を形成し、カーボンが配合されて黒色に着色された最外絶縁層１０とによって構成されている。絶縁層９は、本実施の形態においては青色に着色されており、第二の導体７を直接被覆している。着色された絶縁層９は、従来の着色された絶縁体と同様に構成されており、カーボンは含有されていない。最外絶縁層１０は、カーボンを含有した黒色に着色されており、紫外線遮断効果に優れている。このように第二の電線３は、紫外線遮断効果が小さい絶縁層９の上に、カーボンを含有してなる最外絶縁層１０を絶縁体８として被覆しているので、優れた紫外線遮断効果を得ることができる。
【００１７】
図１における低圧引き込み電線１を三心に束ねた構造の低圧引き込み電線が図２に示されている。図２における電線２及び電線３は、図１と同様の構造となっている。
【００１８】
第三の電線４は、導体１１の上に、第三の絶縁体１２が被覆されており、この第三の絶縁体１２は、黒色以外の色に着色されている絶縁層１３と、最外層を形成し、カーボンが配合されて黒色に着色された最外絶縁層１４とによって構成されている。絶縁層１３は、本実施の形態においては緑色に着色されており、導体１１を直接被覆している。着色された絶縁層１３は、従来の着色された絶縁体と同様に構成されており、カーボンは含有されていない。最外絶縁層１４は、カーボンを含有した黒色に着色されており、紫外線遮断効果に優れている。このように電線４は、紫外線遮断効果が小さい絶縁層１３の上に、カーボンを含有してなる最外絶縁層１４を絶縁体１２として被覆しているので、優れた紫外線遮断効果を得ることができる。
【００１９】
低圧引き込み電線１は、この電線２、電線３、電線４を撚り合わせて形成されている。この三本の電線は、いずれも最外層がカーボンを含有してなるものであって、黒色の絶縁体で被覆されているので、低圧引き込み電線１は三本の黒色の電線が撚り合わせられた形状となっている。
【００２０】
この低圧引き込み電線１を構成する各電線は、低圧引き込み電線１の接続等の作業時に、低圧引き込み電線１の切断面を目視することで識別することができるようになっている。たとえば、電線２、電線３、電線４の三本の電線で構成された低圧引き込み電線１を切断した際に、切断面において、三本の電線のうち、絶縁体内層が青色の絶縁層で構成された電線は電線３である、と識別することができる。また、絶縁体内層が緑色の絶縁層で構成された電線は電線４である、と識別することができる。一方、切断面において、絶縁体が黒色の単層で、着色された絶縁層が無い電線の場合、その電線は電線２である、と識別することができる。つまり、低圧引き込み電線１は、作業時に低圧引き込み電線１を端末処理する際の切断面における絶縁層の色によって電線の識別を行うことができる。
【００２１】
また、絶縁体内層の着色された絶縁層９，１３は、導体の外側を覆うように導体７，導体１１をそれぞれ被覆しているため、端末処理時に切断面が略円状になる。このため、作業時において、導体を傷つけるのを防ぐために絶縁体を斜めに削った場合においても、二層で構成された絶縁層の色を容易に識別することができる。
【００２２】
本発明における着色された絶縁体を有する電線の製造方法は、従来の二層における電線の製造方法と同様で、押出しにおいて絶縁体とシースのタンデムによる二層押出しの方法で行う。すなわち、電線３を例にとって説明すると、着色された絶縁層９を絶縁押出し機と芯がね、口がねで押出した直後に、最外絶縁層１０を別の絶縁押出し機と芯がね、口がねで押出すことによって形成される。
【００２３】
なお、本実施の形態においては、着色された絶縁層９と絶縁層１３の色は青色及び緑色であったが、これに限られるものではなく、絶縁層９と絶縁層１３が異なる色であって、かつ最外絶縁層と容易に識別が可能な色であればどんな色でもよいものとする。
【００２４】
なお、紫外線遮断効果を得ることのできるカーボンを含有させた絶縁体は、絶縁体のベースのコンパウンドにカーボンを混練することで形成されている。
【００２５】
また、本実施の形態においては、着色された絶縁層と、最外絶縁層の厚さの割合が図面において同じように示されているが、必ずしも同じ厚さにする必要はない。すなわち、電線の外径を同じにするために、着色された絶縁層または最外絶縁層のいずれかを比較的薄くすることが可能である。
【００２６】
図３には、本発明に係る低圧引き込み電線の別な実施の形態を示す断面図が示されている。
図において、２０はＤＶ電線等の低圧引き込み電線であって、同じ外径を有する電線２１、電線２４、電線２８を撚り合わせて構成してある。この低圧引き込み電線１は、二本の電線を撚り合わせたものもあるが、ここでは三心構造の低圧引き込み電線を例にとっている。
【００２７】
電線２１は、導体２２を絶縁体２３で被覆している構造となっている。絶縁体２３は、カーボンを含有して黒色に着色されて形成されている。この電線２１の絶縁体２３はカーボンを含有しているため、優れた紫外線遮断効果を有している。
【００２８】
電線２４は、導体２５を絶縁体２６で被覆した構造となっている。この絶縁体２６はカーボンを含有して黒色に形成されている。絶縁体２６の表面には、電線の長手方向にリブ状の突起２７が一箇所に設けられている。この突起２７は電線２１と異なることを示す識別手段の作用をしている。突起２７は、絶縁体２６の形成時に、絶縁体２６と同時に押出して形成することができる。
【００２９】
電線２４における突起２７を配置する箇所は、電線２４が撚り合わせてある状態においても撚り合わせ内部に入りづらく、目視しやすい箇所であることが望ましい。
【００３０】
電線２８は、導体２９を絶縁体３０で被覆している構成となっている。絶縁体３０は、カーボンを含有して黒色に着色されている。絶縁体３０には電線の長手方向にリブ状の突起３１，３２が二箇所に設けられている。突起３１，３２は、絶縁体３０形成時に、絶縁体３０と同時に押出して形成されたものであって、本実施の形態においては、導体２９を中心に左右に対象な位置に設けられている。
【００３１】
電線２８における二つの突起３１，３２を配置する箇所は、電線２８が撚り合わせてある状態においても、撚り合わせ内部に入りづらく、目視しやすい箇所であることが望ましい。
【００３２】
上記のような電線２１、電線２４、電線２８の三本を撚り合わせることで低圧引き込み電線２０が形成されている。低圧引き込み電線２０は、その絶縁体がいずれも黒色であって、単層で構成されているものであるが、絶縁体表面に設けられた識別手段によって各電線の識別をすることができる。たとえば、低圧引き込み電線２０を接続等に使用する場合、接続部分の電線の撚り合わせをほぐそうとする。電線の撚り合わせをほぐすと、各電線における表面の識別手段を明確に目視することができる。すなわち、本実施の形態によれば、目視した電線の絶縁体に、一箇所の突起があれば、その電線は電線２４である、と識別することが可能である。また、目視した電線に二箇所の突起があれば、その電線は電線２８である、と識別することが可能である。一方、目視した電線に突起が無い場合は、その電線は電線２１である、と識別することができる。
【００３３】
また、本実施の形態のように電線２１には識別手段を設けず、電線２４には一箇所の識別手段である突起２７を設け、電線２８には二箇所の識別手段である突起３１，３２を設けたことで、絶縁体表面の色が全て黒色であっても、三本の電線の種類を識別することが可能となる。また、三本のうち一本は電線２１に示すように識別手段を設けないことによって、製造上容易となると共に、製造コストの削減にもつながる。
【００３４】
なお、本実施の形態における電線の識別手段としては、突起を設けているが、これに限られるものではなく、突起の代わりに凹部を設けても同様の効果を得ることができる。
【００３５】
また、本実施の形態においては、電線２４には一箇所の突起２７を設け、電線２８には二箇所の突起３１，３２を設けているが、これに限られるものではなく、例えば電線２４には一箇所の突起２７を設け、電線２８には図示しない一箇所の凹部を設けた構造としても、電線の識別をすることが可能で、本実施の形態と同様の効果を得ることができる。また、電線２４には一箇所の凹部を設け、電線２８には一箇所の突起を設けた構造としても電線の識別をすることが可能で、本実施の形態と同様の効果を得ることができる。
【００３６】
また、本実施の形態において、絶縁体を構成する素材には、電線の絶縁体として一般的なポリ塩化ビニル（ＰＶＣ）を使用しているが、これに限られるものではなく、ＰＶＣの代わりにポリエチレン（ＰＥ）を使用しても本実施の形態と同様の効果を得ることができる。
【００３７】
【発明の効果】
本発明は、以上説明したように構成されているので、耐候性に優れ、良好な紫外線遮断効果を得ることができる低圧引き込み電線を提供することができる。
【００３８】
内側の絶縁体を着色することで、端末を目視して容易に電線の識別を行うことができる。電線のうち一本の電線の絶縁体は単層で構成されているので、製造を簡易化させることが可能であると共に、施工性にも優れた低圧引き込み電線を提供することができる。
【００３９】
絶縁体の表面に電線の識別手段を設けたことによって、容易に電線の識別を行うことが可能な低圧引き込み電線を提供することができる。また、電線のうち一本の電線の絶縁体には識別手段を設けていないので、製造を簡易化させることが可能であると共に、施工性にも優れた低圧引き込み電線を提供することができる。
【図面の簡単な説明】
【図１】本発明に係る低圧引き込み電線の一実施の形態を示す断面図である。
【図２】本発明に係る低圧引き込み電線の他の実施の形態を示す断面図である。
【図３】本発明に係る低圧引き込み電線の別な実施の形態を示す断面図である。
【図４】従来のＤＶＲ電線を示す断面図である。
【図５】従来のＶＶＲケーブルを示す断面図である。
【符号の説明】
１，２０……………………低圧引き込み電線
２，３，２１，２４………電線
５，７………………………導体
６，８………………………絶縁体
９……………………………絶縁層
１０…………………………最外絶縁層
【図１】
0004889158.tif 000002
【図２】
0004889158.tif 000003
【図３】
0004889158.tif 000004
【図４】
0004889158.tif 000005
【図５】
0004889158.tif 000006